(57)【要約】【課題】電源端子台と信号端子台を備える場合に、器具を薄く小型化する。【解決手段】信号端子台５４と電源端子台５５のそれぞれの上面、つまり、電源ラインと信号ラインが挿入され接続を得る穴５４a、５５bを有する面は、本体１０に配設された蓄電池ボックス２０の高さとほぼ一致する取り付け位置に配置されている。本体１０の頭部に突出した凸部１５の大きさだけ本体１０の高さが蓄電池ボックス２０の高さより高い。【選択図】図５
2008192334.tif 000002
【特許請求の範囲】
【請求項１】
蓄電池と；
蓄電池から電力が供給された場合に点灯する光源と；
商用電源の供給を受けて蓄電池の充電を行うための充電回路と、商用電源が遮断された場合に、蓄電池から電力を光源に供給する点灯回路とを内蔵するケースと；
蓄電池を内蔵する蓄電池ボックスと；
光源に対向して設けられる投光開口と、投光開口の反対側に設けられる開口を有し、ケースと蓄電池ボックスが開口内に配設される本体と；
本体の開口側から本体を覆うカバーと；
本体に配設された蓄電池ボックスの高さ以内となる取り付け位置に配置され、かつ、商用電源ラインに接続される上面がカバーから臨むように配設された電源端子台と；
本体に配設された蓄電池ボックスの高さ以内となる取り付け位置に配置され、かつ、情報を送受する信号ラインに接続される上面がカバーから臨むように配設された信号端子台と；
を具備することを特徴とする非常用照明器具。
【請求項２】
実装面が本体の開口側から投光開口に向かう方向と略平行になるようにケース内に配置されたプリント配線板と；
ケース壁面に近い側のプリント配線板の第１の面上に主として実装され、第１の面の裏面である第２の面側に実装された部品より背高の部品と；
を具備し、電源端子台及び信号端子台は、ケースにおける第２の面側に設けられていることを特徴とする請求項１に記載の非常用照明器具。
【請求項３】
プリント配線板と蓄電池ボックスの間に、低発熱性の電子部品または電子部品により構成されるモジュールを設けたことを特徴とする請求項２に記載の非常用照明器具。
【発明の詳細な説明】
【技術分野】
【０００１】
この発明は、商用電源が遮断された場合に、蓄電池駆動により点灯して所要箇所の照明を行う非常用照明器具に関するものである。
【背景技術】
【０００２】
従来、この種の非常用照明器具においては、特許文献１に記載されているように、ランプソケットの後端側に速結型の端子を設け、電源線穴に臨ませ、電源線を接続する構成を採用している。
【０００３】
上記の構成においては、速結型の端子に電源線を接続するものであり、これ以外に主操作盤などとの間で情報を送受する信号ラインに接続される信号端子台を設ける場合には、天井方向に筐体を大型化してスペースを設け、このスペースに信号端子台などを配置することになり、非常用照明器具が大型化し、天井から突出して設ける場合には、美観からも好ましいものではなかった。
【特許文献１】特開２００４−１８５８４２号公報（図４、００３０欄等）
【発明の開示】
【発明が解決しようとする課題】
【０００４】
本発明はこのような従来の非常用照明器具における問題点を解決せんとしてなされたもので、その目的は、商用電源ラインに接続される電源端子台と情報を送受する信号ラインに接続される信号端子台を備える場合に、器具を薄く小型化することの可能な非常用照明器具を提供することである。
【課題を解決するための手段】
【０００５】
本発明に係る非常用照明器具は、蓄電池と；蓄電池から電力が供給された場合に点灯する光源と；商用電源の供給を受けて蓄電池の充電を行うための充電回路と、商用電源が遮断された場合に、蓄電池から電力を光源に供給する点灯回路とを内蔵するケースと；蓄電池を内蔵する蓄電池ボックスと；光源に対向して設けられる投光開口と、投光開口の反対側に設けられる開口を有し、ケースと蓄電池ボックスが開口内に配設される本体と；本体の開口側から本体を覆うカバーと；本体に配設された蓄電池ボックスの高さ以内となる取り付け位置に配置され、かつ、商用電源ラインに接続される上面がカバーから臨むように配設された電源端子台と；本体に配設された蓄電池ボックスの高さ以内となる取り付け位置に配置され、かつ、情報を送受する信号ラインに接続される上面がカバーから臨むように配設された信号端子台と；を具備することを特徴とする。
【０００６】
上面とは、非常用照明器具が天井に取り付けられた場合に、上側となる面を意味する。また本体に配設された蓄電池ボックスの高さ以内となる取り付け位置とは、本体に蓄電池ボックスが配設された状態において、蓄電池ボックスの高さと端子台の高さと合わせた高さより高い位置に端子台が存在しないことを意味する。非常用照明器具の高さが蓄電池ボックスの高さ程度であることが、電源ラインまたは信号ラインの接続作業の際に好適である。本体は、天井などの取付面から突出した状態に取り付けられ、または突出しない状態に取り付けられる。光源は、ハロゲン電球やＬＥＤなどを許容する。
【０００７】
本発明に係る非常用照明器具では、実装面が本体の開口側から投光開口に向かう方向と略平行になるようにケース内に配置されたプリント配線板と；ケース壁面に近い側のプリント配線板の第１の面上に主として実装され、第１の面の裏面である第２の面側に実装された部品より背高の部品と；を具備し、電源端子台及び信号端子台は、ケースにおける第２の面側に設けられていることを特徴とする。
【０００８】
本発明に係る非常用照明器具では、プリント配線板と蓄電池ボックスの間に、低発熱性の電子部品または電子部品により構成されるモジュールを設けたことを特徴とする。
【発明の効果】
【０００９】
本発明に係る非常用照明器具では、電源端子台と信号端子台とが共に、本体に配設された蓄電池ボックスの高さ以内となる取り付け位置に配置されているので、二つの端子台を備える非常用照明器具において、その高さを低く抑えることができ、機器の大型化を抑制することが可能である。
【００１０】
本発明に係る非常用照明器具では、ケースは円筒形の一部の形状を有しており、円筒形の直径に近い線分に沿って配置されたプリント配線板と、ケース壁面に近い側のプリント配線板の第１の面上に実装され、第１の面の裏面である第２の面側に実装された部品より背高の部品とを具備した構成であるため、第２の面側に実装された部品が少なく、この第２の面側に電源端子台と信号端子台とを設けることが可能となるため背低な構成が可能となる利点がある。
【００１１】
本発明に係る非常用照明器具では、プリント配線板と蓄電池ボックスの間に、低発熱性の電子部品または電子部品により構成されるモジュールを設けたので、プリント配線板に設けられる高発熱性の部品が発生する熱的影響を、上記低発熱性の電子部品または電子部品により構成されるモジュールが緩和し、熱が蓄電池側へ伝導し難くなり、蓄電池の劣化を抑制し得る効果がある。
【発明を実施するための最良の形態】
【００１２】
以下添付図面を参照して、本発明に係る非常用照明器具の実施例を説明する。各図において同一の構成要素には、同一の符号を付して重複する説明を省略する。実施例に係る非常用照明器具は、図１に示すように、有底筒状の容器である本体１０に、蓄電池ボックス２０、ユニットケース３０が配設される。
【００１３】
蓄電池ボックス２０は、図６に示すように平面形状がほぼＵ字状である。ユニットケース３０は、図２に示すように蓄電池ボックス２０が収納されるスペースを除く本体１０内のスペースに配置され、中央部に向かって反射板４１の形状に対応して放物面に近い傾斜面を有し、中央部にはランプソケット４３が埋設されている。
【００１４】
反射板４１は、上記ユニットケース３０と蓄電池ボックス２０により本体１０の内側中央部に形成される穴部４２へ配置される。ランプソケット４３には、光源であるハロゲンランプ等のランプ４４が嵌合される。
【００１５】
ユニットケース３０には、図３に示されるような回路などが収納されている。本体１０に設けられているＡＣコネクタ１１を介して交流電源（ＡＣ１００Ｖ）に接続され、蓄電池ボックス２０内の蓄電池２１を充電する充電回路３１、蓄電池２１の電力に基づきランプ４４を点灯させると共に点検等の各種場合に制御を行う点灯回路３３、点灯回路３３がリモコンと通信を行うためのリモコンモジュール３５、点灯回路３３が有線ラインにより主操作盤などと通信を行うための有線通信コネクタ３４が備えられている。
【００１６】
また、点灯回路３３には、マイクロスイッチ４６が接続されていると共に、充電モニタ用ＬＥＤ４７とランプモニタ用ＬＥＤ４８とが接続されている。マイクロスイッチ４６は、図８に示されるように、ユニットケース３０の穴４５から重力方向へ突出した操作片であるツマミ４９の操作によりオンオフされる。
【００１７】
上記の回路を構成する部品は、ユニットケース３０内において図４に示されるように実装されている。ユニットケース３０は、図４に示した手前側の部分において、円筒形の一部の形状を有しており、円筒形の直径に近い線分に沿ってプリント配線板５１が配置されている。ユニットケース３０の壁面５２に近い側のプリント配線板５１における基板面５１ａ上には、基板面５１ａの裏側の基板面５１ｂに実装された部品より背高の部品群５３が実装されている。また、プリント配線板５１の中央部には、背高の部品５３が実装され、プリント配線板５１の両端部に向かう程に背が低い部品が実装されている。係る実装構成により、プリント配線板５１の基板面５１ｂ側にスペースを作っている。
【００１８】
プリント配線板５１の基板面５１ｂ側における中央部には、ランプソケット４３が埋設されている。ユニットケース３０のほぼ中央部におけるプリント配線板５１に近い部分には、情報を送受する信号ラインに接続される信号端子台５４が設けられている。信号端子台５４は、図３の回路においては有線通信コネクタ３４の機能を有する。また、ランプソケット４３の背後の位置には、図５に示されるように商用電源ラインに接続される電源端子台５５が設けられている。この電源端子台５５は、図５に明らかな通り本体１０の天板１０ａに固定されている。
【００１９】
図１１に示す通り、信号端子台５４と電源端子台５５のそれぞれの底面５４ｂ、５５ｂ（図５において見えるラインが挿入され接続を得る穴５４ａ、５５ａを有する上面の反対側の面）は、本体１０に配設された蓄電池ボックス２０の高さＨ以内となる取り付け位置に配置されている。つまり、信号端子台５４と電源端子台５５のそれぞれの底面５４ｂ、５５ｂの位置は、蓄電池ボックス２０の上面位置より下にある。信号端子台５４と電源端子台５５の穴５４ａ、５５ａを有する上面は、蓄電池ボックス２０の上面位置より僅かに上に位置し、信号端子台５４と電源端子台５５の上面がカバー６０から臨むように配設されている。このカバー６０から臨むように配設された部分は、図５、図６、図１１における本体１０の頭部に突出した凸部１５の高さ程度に相当する。本体１０の高さは蓄電池ボックス２０の高さＨとほぼ等しいが、正確には、本体１０の頭部に突出した凸部１５の高さ程度が本体１０の高さに加わっている。このような実装構成により、信号端子台５４と電源端子台５５とを備えるにも拘らず、僅かな高さの凸部１５を設けるだけで本体１０の大型化、更には非常用照明器具の背高化を回避している。
【００２０】
また、信号端子台５４と電源端子台５５において、ラインが挿入され接続を得る穴５４ａ、５５ａを有する面が、ほぼ本体１０の天板１０ａの面にあるので、この穴５４ａ、５５ａにラインの先端を差し込むだけで接続がなされ、非常用照明器具の設置作業を容易にできる。また、ユニットケース３０には、図１２に示される放熱孔を構成する複数条のスリット２６がプリント配線板５１の主に基板面５１a側に対応して形成されており、また、本体１０の天板には図５に示される放熱孔５７がプリント配線板５１の主に基板面５１a側に対応して形成されている。信号端子台５４と電源端子台５５は、プリント配線板５１に実装された部品よりも基本的には上方に配置されているもので熱的影響を受け易いものである。係る事情に鑑み、本実施例では、プリント配線板５１の基板面５１ｂ側に信号端子台５４と電源端子台５５を配設し、かつ、スリット２６と放熱孔５７をプリント配線板５１の主に基板面５１a側に対応して形成して、また、本体１０の天板に形成された図５に示される放熱孔５８などもユニットケース３０内の熱を逃がす役割を有し、プリント配線板５１に実装された部品から信号端子台５４と電源端子台５５への熱的影響を低減させ、プリント配線板５１の基板面５１ｂ側に生じさせたスペースを有効利用可能とし、非常用照明器具の小型化を達成している。
【００２１】
図６に示すように、蓄電池を内蔵した蓄電池ボックス２０の重心を中心として、バネ２２と重量的に対称な位置にバネ２３が設けられている。バネ２２とバネ２３とは同一の形状であり、それぞれの位置を支えることにより、蓄電池ボックス２０の重量が各支点にほぼ等分されて加えられる。蓄電池ボックス２０が本体１０に収納された状態において、バネ２２とバネ２３との段部２２ａ、２３ａに対応する本体１０の壁面の位置には、切り込みにより内側へ突出した突起１３、１４が形成されており、突起１３、１４は、段部２２ａ、２３ａと係合するように構成されている。
【００２２】
蓄電池ボックス２０において、バネ２２が設けられた位置近傍には、いくつかの放熱口２４が形成されていると共に、この部分の壁が二重壁とされ強度が強化され、バネ２２を設けるために必要な強度が確保されている。図２に示すように、ユニットケース３０には、蓄電池ボックス２０のコネクタ２９に対応する位置に、接続部を構成するコネクタ３６が設けられている。また、ユニットケース３０内には、既に説明した如く各種の回路が設けられており、この回路によって生じる熱がコネクタ３６から蓄電池ボックス２０のコネクタ２９を介する経路などにより蓄電池ボックス２０側へ伝導する。従って、蓄電池ボックス２０においてバネ２２が設けられたコネクタ２９の付近は放熱が必要な部分であり、この部分に放熱口２４が形成されていることにより適切な放熱がなされるものである。
【００２３】
更に、本実施例では、図２、図４、図１２に示すリモコンモジュール３５が図４に示すようにプリント配線板５１と蓄電池ボックスの間に（図４の基板面５１ｂ側に）配置されている。このリモコンモジュール３５は、受光素子と発光素子などの無線通信部品であり、低発熱性の電子部品、または低発熱性の電子部品により構成されるモジュールを構成し、プリント配線板５１の基板面５１ａ側に設けられる高発熱性の部品が発生する熱的影響を、リモコンモジュール３５が緩和し、熱が蓄電池側へ伝導し難くなり、蓄電池の劣化を抑制する。
【００２４】
また、リモコンモジュール３５は、平面形状がほぼＵ字状の蓄電池ボックス２０において、コネクタ２９が設けられている端部とは反対側の端部に設けられており、プリント配線板５１と蓄電池とを接続する配線長の短縮に寄与している。ユニットケース３０側のコネクタ３６はリモコンモジュール３５のコネクタ２９と結合するもので、蓄電池ボックス２０内において蓄電池がコネクタ２９に近く配置されている。そして、プリント配線板５１とコネクタ３６、２９が接続され、コネクタ２９から蓄電池ボックス２０内において複数本の蓄電池が接続されコネクタ２９に戻るように配線がなされている。ここに、最後の蓄電池からプリント配線板５１までの配線長が短いことが高効率で光出力可能となる条件である。即ち、光出力は蓄電池からの電源供給量に応じて変化し、配線長が長くなると電圧降下が生じて電源供給量が低下して光出力のレベル低下へとつながる。従って、最後の蓄電池からプリント配線板５１までの配線長の短縮が求められるのである。
【００２５】
上記鑑み、本実施例では、コネクタ２９の近くまで蓄電池を配設すると共に、コネクタ２９、３６からプリント配線板５１までの配線長をできる限り短縮化するため、リモコンモジュール３５をコネクタ２９が設けられている端部とは反対側の端部に設ける構成を採用したものである。なお、コネクタ２９の付近には、放熱空間および放熱口２４を設け、コネクタ２９とプリント配線板５１との熱的結合を抑制している。
【００２６】
以上の構成において非常用照明器具の設置及び組み立ての場合には、まず、ユニットケース３０が配設された状態の本体１０を天井にネジにより配置する。このとき、ＡＣコネクタ１１の機能を有する電源端子台５５に交流電源（ＡＣ１００Ｖ）を接続すると共に有線通信コネクタ３４の機能を有する信号端子台５４と通信ケーブルを接続する。この状態の本体１０に対し、図６に示されるように蓄電池ボックス２０を支え、本体１０内の空きスペースに蓄電池ボックス２０を合わせると共に接続部を構成するコネクタ２９をユニットケース３０の接続部を構成するコネクタ３６に対応付けて、蓄電池ボックス２０を本体１０方向へ押し上げ、バネ２２、２３の段部２２ａ、２３ａと突起１３、１４と係合させる。
【００２７】
本体１０の開口側からは、有底筒状のカバー６０が被せられる。図１に示されるように、カバー６０の表面中央部には、ランプ４４の照射光が射出する投光開口を構成する穴６１が形成され、また表面には、充電モニタ用ＬＥＤ４７、ランプモニタ用ＬＥＤ４８、ツマミ４９、リモコンモジュール３５にそれぞれ対応する位置に穴６４、６５、６６、６７が形成されている。
【００２８】
図７に示すように、カバー６０の内壁部には係合爪６３、６３が直径による対向位置に設けられている。図５、図６に示されるように、本体１０の側部には、係合爪６３、６３に対応する位置に逆Ｌ字状の係合溝１２、１２が形成されており、係合爪６３、６３は逆Ｕ字状であり、係合溝１２、１２の横方向に延びている部分の下縁１２ａを挟み込みながら摺動するように構成されている。このため、カバー６０を本体１０に被せて結合・固定する場合には、係合爪６３、６３を係合溝１２、１２の始端口に合わせてカバー６０を本体１０側（天井側）へ押し付け、カバー６０の表面部が本体の開口縁部に当接してカバー６０が本体１０側（天井側）へ移動できなくなったときに、カバー６０を固定方向（図１の矢印Ａ方向）へ回転させて固定し、図８に示すように非常用照明器具を完成する。
【００２９】
本体１０にユニットケース３０と蓄電池ボックス２０とが収納固定されると、コネクタ１１を介して充電回路３１がＡＣ１００Ｖを受けて直流電圧を作成し、蓄電池２１の充電を開始する。また、点灯回路３３はコネクタ１１に到来する商用電源の断を検出し、商用電源が断となった場合には、蓄電池２１の電力を供給する制御を実行してランプ４４を点灯させる。斯して、商用電源が遮断される非常時には、本非常用照明器具により必要箇所に照明を得ることができる。
【００３０】
また、点灯回路３３は図９に示されているフローチャートに示すように、蓄電池２１の電位などにより充電状態を検出し（Ｓ１１）、充電モニタ用ＬＥＤ４７に状態（満充電、未充電など）を継続点灯や点滅などにより表示する（Ｓ１２）。また、ランプ４４に電流を流すなどしてランプ４４について正常やランプ切れ状態を検出し（Ｓ１３）、ランプモニタ用ＬＥＤ４８に状態（正常やランプ切れ状態）を継続点灯や点滅などにより表示する（Ｓ１４）。
【００３１】
点灯回路３３は、上記の動作以外に図１０に示されるフローチャートに示す処理を行うものである。即ち、リモコンモジュール３５を介したリモコンよりの指示の有無を検出し（Ｓ２１）、有線通信コネクタ３４を介した主操作盤からの指示の有無を検出し（Ｓ２２）、マイクロスイッチ４６のオンを検出する（Ｓ２３）。ステップＳ２１、Ｓ２２においてＹＥＳとなると、指示は定期点検の指示であるか、または蓄電池２１やランプ４４の状態のモニタ指示であるかを検出する（Ｓ２４）。
【００３２】
ステップＳ２４において定期点検の指示であることを検出すると、蓄電池２１の電力を供給してランプ４４の点灯を予め定められた所定時間行うと共に、その後に点灯を停止して蓄電池２１の充電を開始させ、必要な状態（ランプ４４の点灯状態や蓄電池２１の充電状態）情報をリモコンモジュール３５または有線通信コネクタ３４を介して送信する（Ｓ２５）。
【００３３】
ステップＳ２４において蓄電池２１やランプ４４の状態のモニタ指示であることを検出すると、図９のフローチャートにより検出した状態情報をリモコンモジュール３５または有線通信コネクタ３４を介して送信する（Ｓ２６）。これに対し、主操作盤やリモコンは図３に示すように、制御部７０に、キーなどの操作部７１、ＬＣＤなどの表示部７２、更に通信部（主操作盤対応のものにあっては有線通信部、リモコン対応のものにあっては無線通信部）７３が接続された構成である。制御部７０は通信部７３を介して上記情報を受け取り、表示部７２へ情報の表示を行い、蓄電池２１の状態やランプ４４の状態を遠隔において知ることができ便利である。
【００３４】
一方、ステップＳ２３において、マイクロスイッチ４６がオンとなったことを検出すると、蓄電池２１の電力を供給してランプ４４の点灯を行う（Ｓ２７）。そしてステップＳ２７に続いて、マイクロスイッチ４６がオフとなったかを検出して（Ｓ２８）、ランプ４４の点灯を停止して蓄電池２１の充電を開始させる（Ｓ２９）。このステップＳ２９の次に、マイクロスイッチ４６のオンオフが所定のパターンで行われたかを検出する（Ｓ３０）。ここに、所定のパターンとは例えば、オンオフが所定時間（例えば５秒間）内に所定回（例えば、５回）繰り返されるような場合である。
【００３５】
上記のような所定パターンのオンオフをステップＳ３０において検出できなければステップＳ２１へ戻る。このようなステップＳ２７、Ｓ２８、Ｓ２９の処理により、ツマミ４９が引っ張られている場合に限りランプ４４の点灯が行われるので、点検者による所望の手動確認を可能とする。一方、ステップＳ３０において、上記のような所定パターンのオンオフをステップＳ２８において検出すると、蓄電池２１の電力を供給してランプ４４の点灯を予め定められた所定時間行う（Ｓ３１）と共に、その後に点灯を停止して蓄電池２１の充電を実行する制御へ復旧する（Ｓ３２）。これにより、点検者によるツマミ４９の所定操作により所定パターンでマイクロスイッチ４６のオンオフを生じさせ、所定時間の継続点灯という定期点検を実現することができ便利である。
【図面の簡単な説明】
【００３６】
【図１】本発明に係る非常用照明器具の実施例における組み立て斜視図。
【図２】本発明に係る非常用照明器具の実施例における本体についてユニットケースが実装され、蓄電池ボックスが未実装状態の斜視図。
【図３】本発明に係る非常用照明器具の実施例における回路構成を示すブロック図。
【図４】本発明に係る非常用照明器具の実施例におけるユニットケースの内部の実装状態を示す斜視図。
【図５】本発明に係る非常用照明器具の実施例における本体を上部から見た場合の斜視図。
【図６】本発明に係る非常用照明器具の実施例における要部に関する組み立て及び取り外しの過程を示す斜視図。
【図７】本発明に係る非常用照明器具の実施例におけるカバー内部を示す斜視図。
【図８】本発明に係る非常用照明器具の実施例について組み立て完了状態を示す斜視図。
【図９】本発明に係る非常用照明器具の実施例による動作を説明するためのフローチャート。
【図１０】本発明に係る非常用照明器具の実施例による動作を説明するためのフローチャート。
【図１１】本発明に係る非常用照明器具の実施例における要部の断面図。
【図１２】本発明に係る非常用照明器具の実施例における本体について蓄電池ボックスが実装された状態の斜視図。
【符号の説明】
【００３７】
１０  本体
１１  ＡＣコネクタ
１２  係合溝
１３、１４  突起
１５  凸部
２０  蓄電池ボックス
２１  蓄電池
２２、２３  バネ
２２ａ、２３ａ  段部
２４  放熱口
２６  スリット
２９、３６  コネクタ
３０  ユニットケース
３１  充電回路
３３  点灯回路
３４  有線通信コネクタ
３５  リモコンモジュール
４１  反射板
４３  ランプソケット
４４  ランプ
４５  穴
４６  マイクロスイッチ
４７  充電モニタ用ＬＥＤ
４８  ランプモニタ用ＬＥＤ
４９  ツマミ
５１  プリント配線板
５１ａ、５１ｂ  基板面
５２  壁面
５３  部品
５４  信号端子台
５４ａ、５５ａ  穴
５４ｂ、５５ｂ  底面
５５  電源端子台
５７、５８  放熱孔
６０  カバー
６３  係合爪
【図１】
2008192334.tif 000003
【図２】
2008192334.tif 000004
【図３】
2008192334.tif 000005
【図４】
2008192334.tif 000006
【図５】
2008192334.tif 000007
【図６】
2008192334.tif 000008
【図７】
2008192334.tif 000009
【図８】
2008192334.tif 000010
【図９】
2008192334.tif 000011
【図１０】
2008192334.tif 000012
【図１１】
2008192334.tif 000013
【図１２】
2008192334.tif 000014